(57)【特許請求の範囲】
【請求項１】
外周構成壁で区画された打抜室(15)と、
前記打抜室(15)の製品取出し口の周縁に沿って添設された環状枠(11)と、
前記製品取出し口に対して前記打抜室(15)内から対向する位置に支持された中空刃(18)に積層状態の紙葉群を押圧して前記中空刃の輪郭形状に打ち抜くプッシャと、
前記中空刃(18)の下方域に形成されたスクラップ受容口に落下した抜きカスを打抜装置の外部に繋がるスクラップ排出口(24)まで滑落させるスクラップシュートとを具備し、
前記中空刃(18)を上方から支持し且つ該支持部から前記打抜室(15)の外周構成壁を貫通してその外側の長さ調節部まで延びる左右一対の上方支持アーム(13)(13)が前記環状枠(11)に取付けられており、
前記中空刃(18)を下方から支持し且つ該支持部から前記環状枠(11)の中央孔(110)を通過してその外側の長さ調節部まで延びる左右一対の下方支持アーム(14)(14)が前記環状枠(11)の前面の下部に添設されている、打抜装置。
【請求項２】
請求項１に記載の打抜装置に於いて、
前記下方支持アーム(14)は、
前記環状枠(11)の前記前面に当接状態に取付けられ且つ前記当接側に開放する凹溝が形成されたアーム用ホルダと、
前記長さ調節部側の端部に配設された調節ハンドル(17)の操作によって前記凹溝に沿って摺動する摺動軸部(145)と該摺動軸部(145)の一端から屈曲し且つ先端が前記中空刃(18)の支持部となった屈曲延長部(146)とから成る摺動アーム(142)とを備えており、
前記摺動軸部(145)は、前記環状枠(11)に直接接触している、打抜装置。
【請求項３】
請求項１又は請求項２に記載の打抜装置に於いて、
前記アーム用ホルダに於ける前記環状枠(11)中心側の先端部には該先端部に開放する締付けスリットが設けられており、
更に、前記アーム用ホルダには前記締付けスリットを挟んで対向する一対の締付けフランジと、該一対の締付けフランジを互いに接近する方向に締付ける締付けボルトが設けられている、打抜装置。
【請求項４】
請求項１から請求項３の何れかに記載の打抜装置に於いて、前記環状枠(11)には、前記前面側に開放し且つ周方向に延びる案内溝が形成されており、
前記案内溝内には、該案内溝に沿って往復移動自在に装填されたスライダが収容されており、
前記アーム用ホルダと前記スライダとが固定ボルトで締付固定される、打抜装置。
【請求項５】
請求項４に記載の打抜装置に於いて、
前記固定ボルトは、前記アーム用ホルダの溝底構成壁から、前記摺動軸部(145)に形成された軸線方向に長いボルト挿通スリットを介して前記スライダに螺入される、打抜装置。
【発明の詳細な説明】
【０００１】
【発明の属する技術分野】
本発明は打抜装置、特に、積層した多数の紙葉群を中空刃によって打ち抜く装置であって、固定状態に支持された中空刃に対して前記紙葉群をプッシャで押圧して打ち抜く打抜装置に関するものである。
【０００２】
【従来の技術】
この種打抜装置として、図６の如き構造のものが知られている。
略筒状に形成された打抜室用ケース(1)の前方開放端には、これと同軸状に環状枠(11)が添設固定されている。打抜室用ケース(1)の先端の上部近傍には、後述の中空刃(18)を上方から支持する為の上方支持アーム(13)(13)を内外に挿通させる為のアーム挿通窓(12)(12)が形成されていると共に、前記打抜室用ケース(1)の先端近傍の下半分は切除されており、これにより、下方に開放する側方開口(16)が形成されている。
【０００３】
環状枠(11)の打抜室(15)側の面には、上記アーム挿通窓(12)(12)及び側方開口(16)を介して打抜室(15)の内外に延びる上下の支持アーム(13)(13)(14)(14)が添設固定されている。
【０００４】
上下の支持アーム(13)(13)は、図示しない固定ネジで環状枠(11)に固定される筒状のアーム用ホルダ(131)(141)と、これらに摺動自在に挿通される摺動アーム(132)(142)から構成されており、摺動アーム(132)(142)は、調節ハンドル(17)(17)の回転によって中空刃(18)側への突出長さが調節できる構成になっている。
【０００５】
前記上下の支持アーム(13)(13)(14)(14)の先端で支持される環状の中空刃(18)には、プッシャ(21)の先端の打抜盤(20)が対向している。
【０００６】
又、既述打抜室用ケース(1)を載置する基台(23)の前面下部には、中空刃(18)で打ち抜かれた紙葉群の抜きカスを排出する為のスクラップ排出口(24)が開放していると共に、該スクラップ排出口(24)は、前記中空刃(18)の下方に開放する図示しないスクラップシュートの下流端に位置している。
【０００７】
このものでは、積層状態にある紙葉群を中空刃(18)と打抜盤(20)の間に挟んだ状態でプッシャ(21)を駆動させると、紙葉群が中空刃(18)の輪郭形状に打ち抜かれて環状枠(11)部分から外部に取り出される一方、中空刃(18)の外側に生じる抜きカスが図示しないスクラップカッタで切断されて下方に落下し、該落下した抜きカスが中空刃(18)の下方に開放するスクラップシュートを滑落して、スクラップ排出口(24)から回収箱(10)に回収される。
【０００８】
【発明が解決しようとする課題】
しかしながら、上記従来のものでは、中空刃(18)を下方から支持する一対の下方支持アーム(14)(14)の外端を、打抜室用ケース(1)の前端下部に形成された側方開口(16)(16)から下方に突出させ、前記支持アーム(14)(14)の外端に設けた調節ハンドル(17)(17)を外部操作可能にしている。従って、このものでは、打抜室(15)が前記側方開口(16)を介して外部に連通していることから、抜きカスが前記側方開口(16)から図６の矢印(B)で示す経路に沿って基台(23)の側方に落下して散乱するという問題があった。
本発明はかかる点に鑑みてなされたもので、打抜装置の側方に抜きカスが落下して散乱する不都合を防止することをその課題とする。
【０００９】
【課題を解決するための手段】
[１項]
上記課題を解決するための本発明の技術的手段は、
『外周構成壁で区画された打抜室(15)と、
前記打抜室(15)の製品取出し口の周縁に沿って添設された環状枠(11)と、
前記製品取出し口に対して前記打抜室(15)内から対向する位置に支持された中空刃(18)に積層状態の紙葉群を押圧して前記中空刃の輪郭形状に打ち抜くプッシャと、
前記中空刃(18)の下方域に形成されたスクラップ受容口に落下した抜きカスを打抜装置の外部に繋がるスクラップ排出口(24)まで滑落させるスクラップシュートとを具備し、
前記中空刃(18)を上方から支持し且つ該支持部から前記打抜室(15)の外周構成壁を貫通してその外側の長さ調節部まで延びる左右一対の上方支持アーム(13)(13)が前記環状枠(11)に取付けられており、
前記中空刃(18)を下方から支持し且つ該支持部から前記環状枠(11)の中央孔(110)を通過してその外側の長さ調節部まで延びる左右一対の下方支持アーム(14)(14)が前記環状枠(11)の前面の下部に添設されている』ことである。
【００１０】
上記技術的手段は次のように作用する。
積層状態にある紙葉群は、中空刃(18)に対してプッシャ(21)で押圧されて既述従来のものと同様に打ち抜かれる。
【００１１】
そして、上記打抜時には中空刃(18)の外周に生じる抜きカスが、その下方に落下してスクラップシュートを滑落しながらスクラップ排出口(24)まで移動し、該スクラップ排出口(24)に配設された回収箱等に回収される。
【００１２】
この場合、上記技術的手段のものでは、中空刃(18)を下方から支持する左右一対の下方支持アーム(14)(14)は、環状枠(11)の中央孔(110)を通過してその外側の長さ調節まで延びる態様で、環状枠(11)の前面下部に添設されている。従って、既述従来のもののように、打抜室用ケース(1)の先端下部に下方支持アーム(14)(14)を挿通させる為の側方開口(16)を構成する必要がない。即ち、本発明では、打抜装置の側方の作業スペースに抜きカスが飛散する原因となる既述従来の側方開口(16)を形成する必要がない。
【００１３】
[２項]
前記１項に於いて、
『前記下方支持アーム(14)は、
前記環状枠(11)の前記前面に当接状態に取付けられ且つ前記当接側に開放する凹溝が形成されたアーム用ホルダと、
前記長さ調節部側の端部に配設された調節ハンドル(17)の操作によって前記凹溝に沿って摺動する摺動軸部(145)と該摺動軸部(145)の一端から屈曲し且つ先端が前記中空刃(18)の支持部となった屈曲延長部(146)とから成る摺動アーム(142)とを備えており、
前記摺動軸部(145)は、前記環状枠(11)に直接接触している』ものでは次の作用を奏する。
【００１４】
即ち、摺動アーム(142)の摺動軸部(145)が環状枠(11)の前面に直接的に接触しない場合、例えば、摺動軸部(145)と環状枠(11)の摺動境界部の間に座板が介装されている場合に比べ、本発明では摺動軸部(145)が環状枠(11)に直接的に接触している分だけ、該摺動アーム(142)の基端部たる摺動軸部(145)部分（環状枠(11)と直接接触する部分）と屈曲延長部(146)先端の中空刃(18)支持部との距離が短くなる。従って、上記中空刃(18)を支持する摺動アーム(142)にプッシャの押圧力が作用しても、前記距離が長い場合に比べ、摺動アーム(142)がその端部を支点として撓む心配が少なくなる。従って、摺動アーム(142)が撓みにくい分、中空刃(18)を安定的に支持することができる。
【００１５】
[３項]
前記１項又は２項に於いて、
『前記アーム用ホルダに於ける前記環状枠(11)中心側の先端部には該先端部に開放する締付けスリットが設けられており、
更に、前記アーム用ホルダには前記締付けスリットを挟んで対向する一対の締付けフランジと、該一対の締付けフランジを互いに接近する方向に締付ける締付けボルトが設けられている』ものでは、前記一対の締付けフランジを締付けボルトで締付けて接近させると、該締付けフランジ間に位置する締付けスリットの幅が小さくなる。これにより、アーム用ホルダで摺動アーム(142)の摺動軸部(145)の外周が圧迫される。よって、長期使用に伴って溝材状ホルダと摺動軸部(145)の摺動部が磨耗しても、締付けフランジをボルトで締付けることにより、アーム用ホルダと摺動軸部(145)を密に嵌合させることが出来、該嵌合部のがたつきを防止することができる。
【００１６】
[４項]
前記１項〜３項に於いて、
『前記環状枠(11)には、前記前面側に開放し且つ周方向に延びる案内溝が形成されており、
前記案内溝内には、該案内溝に沿って往復移動自在に装填されたスライダが収容されており、
前記アーム用ホルダと前記スライダとが固定ボルトで締付固定される』ものでは、固定ボルトを緩めた状態で、アーム用ホルダを案内溝の延びる方向の移動させると、案内溝内に位置するスライダに螺入された上記固定ボルトが前記アーム用ホルダと共に前記案内溝に沿って周方向に移動する。これにより、アーム用ホルダとこれに保持された摺動アーム(142)からなる下方支持アーム(14)の位置調節を行うことができる。
【００１７】
[５項]
前記４項に於いて、『前記固定ボルトは、前記アーム用ホルダの溝底構成壁から、前記摺動軸部(145)に形成された軸線方向に長いボルト挿通スリットを介して前記スライダに螺入される』構成とすれば、アーム用ホルダとこれに保持された摺動アーム(142)から成る下方支持アーム(14)が、非締め付け状態にある固定ボルトを中心として首振り可能になる。従って、中空刃(18)の形状や大きさに合わせて下方支持アーム(14)の姿勢調節を行うことができる。
【００１８】
【発明の効果】
本発明は、上記構成であるから次の特有の効果を有する。
打抜装置の側方の作業スペースに抜きカスが飛散する原因となっていた既述従来の側方開口(16)を形成する必要がないから、打抜装置の側方に抜きカスが落下して散乱することがない。
【００１９】
２項のものでは、既述したように、プッシャの押圧力を受けても下方支持アームが撓みにくいから、中空刃(18)を安定的に保持することができる。
【００２０】
３項のものでは、既述したように、長期使用に伴って、アーム用ホルダと摺動軸部(145)の摺動部が磨耗しても、締付けボルトの締付けにより、これら両者を密に嵌合させることが出来、該嵌合部のがたつきを長期に亘って防止することができる。
【００２１】
５項のものでは、固定ボルト部分で下方支持アーム(14)を首振りさせることができるから、中空刃(18)の形状や大きさに合わせて下方支持アーム(14)の姿勢調節を容易に行うことができる。特に、２項に対して５項の発明特定事項を付加したものでは、アーム用ホルダの溝底構成壁が固定ボルトによって環状枠(11)側に締付けられると、固定ボルトの締付け力が前記溝底構成壁を介して摺動軸部(145)に作用する。これにより、摺動軸部(145)が環状枠(11)に対してガタツキなく、強固に直接押圧固定される。
【００２２】
【発明の実施の形態】
次に、上記した本発明の実施の形態を図面に従って詳述する。
図１〜図３に示すように、本実施の形態に係る打抜装置は、全体として筒状に形成された打抜室用ケース(1)と、該打抜室用ケース(1)の先端に配設された環状枠(11)と、前記打抜室用ケース(1)の後部に配設されたプッシャ(21)と、更に、前記打抜室用ケース(1)を載置する基台(23)とを有している。以下、各部の詳細を説明する。
【００２３】
[打抜室用ケース(1)について]
打抜室(15)を構成する打抜室用ケース(1)の上半部は、半円筒状に形成されていると共に、その側壁には作業用窓(31)が開設されている。又、打抜室用ケース(1)の上部先端には、後述する上方支持アーム(13)(13)を挿通させる為のアーム挿通窓(12)(12)が形成されている。
【００２４】
[環状枠(11)について]
製品取出し口となる打抜室用ケース(1)の先端開口部に額縁状に添設された環状枠(11)には、上下の支持アーム(13)(13)(14)(14)が添設されていると共に、これら上下の支持アーム(13)(13)(14)(14)は周方向に所定範囲で移動可能に構成されている。又、上下の支持アーム(13)(13)(14)(14)は、夫々長さ調節可能に構成されている。
【００２５】
＊下方支持アーム(14)について
図１，図４，図５に示すように、環状枠(11)の前面壁の下部に配設された左右一対の下方支持アーム(14)(14)の夫々は、アーム用ホルダ(143)とこれに対して摺動自在に装填された摺動アーム(142)から構成されている。この摺動アーム(142)は、アーム用ホルダ(143)内を摺動する摺動軸部(145)と環状枠(11)の中央孔(110)を介して打抜室用ケース(1)内に侵入する屈曲延長部(146)を備えている。そして、前記屈曲延長部(146)の先端には中空刃(18)を支持する為の段部(144)が形成されている。
摺動軸部(145)には、その表裏に貫通し且つ固定ボルト(27)を挿通する為のボルト挿通スリット(26)が軸線方向に延びる態様で形成されている。
【００２６】
そして、上記固定ボルト(27)は、環状枠(11)の正面に開放し且つ周方向に延びる案内溝(28)に移動自在に装填されたスライダ(33)に螺入されていると共に、該スライダ(33)の両側部は、案内溝(28)の溝入り口の口縁に対向突出する一対の係合突条(280)(280)に係合しており、これにより、スライダ(33)が案内溝(28)から脱出するのが防止されている。又、上記摺動アーム(142)の摺動軸部(145)は、環状枠(11)の前記前面壁に直接的に接触していると共に、アーム用ホルダ(143)の凹溝(35)の溝入り口側外面と環状枠(11)との間には、図５に示すように、若干の間隙(39)(39)（本実施の形態では０．１〜０．２mm）が形成されている。
【００２７】
一方、アーム用ホルダ(143)には、下方支持アーム(14)の摺動軸部(145)を摺動自在に挿入させる為の凹溝(35)が形成されていると共に、該凹溝(35)は環状枠(11)側に開放している。
【００２８】
図４に示すように、アーム用ホルダ(143)には先端に開放する締付けスリット(37)が形成されていると共に、上記アーム用ホルダ(143)の外面には前記締付けスリット(37)を挟んで対向する締付けフランジ(38)(38)が突設されている。従って、該締付けフランジ(38)(38)が締付けボルト(32)で締付けられると、上記締付けスリット(37)の幅が縮小し、これにより、アーム用ホルダ(143)で摺動アーム(142)の上記摺動軸部(145)の外周が圧迫固定される。
【００２９】
下方支持アーム(14)を構成するアーム用ホルダ(143)の外端には調節ハンドル(17)が配設されていると共に、締付けボルト(32)を緩めて調節ハンドル(17)を回動させることにより、アーム用ホルダ(143)からの摺動アーム(142)の突出長さが調節できるようになっている。又、上記アーム用ホルダ(143)の溝底構成壁(149)には、上記固定ボルト(27)を挿通させるための透孔(148)が形成されている。
【００３０】
＊上方支持アーム(13)について
図１，図２に示すように、環状枠(11)の裏面上部に配設された左右一対の上方支持アーム(13)は、打抜室用ケース(1)の外周構成壁に形成されたアーム挿通窓(12)に挿入されたアーム用ホルダ(131)と、該アーム用ホルダ(131)の凹溝(45)の溝入り口部を閉塞する座板(130)と、前記凹溝(45)内に摺動自在に挿入された摺動アーム(132)を備えている。そして、アーム用ホルダ(131)の外端には調節ハンドル(17)が配設されており、該調節ハンドル(17)を回動させることにより、アーム用ホルダ(131)からの摺動アーム(132)の突出長さが調節できるようになっている。
又、摺動アーム(132)の先端部は中空刃(18)側に向けてＬ字状に屈曲していると共に、該屈曲先端部には中空刃(18)の端部に係合する段部(134)が形成されている。
【００３１】
又、上方支持アーム(13)は、環状枠(11)に貫通する円弧状の案内溝(29)に挿通された位置固定ネジ(47)によって、環状枠(11)に固定されている。そして、位置固定ネジ(47)に螺合されたナット(49)を緩めると、円弧状の案内溝(29)に沿って移動する位置固定ネジ(47)と共に上方支持アーム(13)が周方向に移動して位置調節できる。
【００３２】
[プッシャ(21)について]
図２に示すように、中空刃(18)に対して接離する方向に移動する打抜盤(20)の外周にはスライド筒(22)(22)が配設されていると共に、該スライド筒(22)(22)は打抜盤(20)の移動方向に延びるガイド軸(41)(41)に摺動自在に外嵌している。そして、上記各ガイド軸(41)は、打抜室用ケース(1)の前端及び後端に設けられた環状枠(11)と後壁(19)の間に架設されている。
【００３３】
プッシャ(21)を構成する打抜盤(20)から後方に突出するネジ軸(51)はネジ筒(52)に螺入されていると共に、該ネジ筒(52)は後壁(19)に取付けられたホルダ(53)内に回転自在に装填されている。又、ネジ筒(52)には歯付きプーリ(54)が外嵌固定されていると共に、該歯付きプーリ(54)はタイミングベルト(55)を介して駆動モータ(57)の回転軸に設けられた歯付きプーリ(56)に動力伝達状態に連結されている。従って、駆動モータ(57)の回転軸が回転すると、その回転力が歯付きプーリ(56)，タイミングベルト(55)及び歯付きプーリ(54)を介してネジ筒(52)に伝達され、これにより、該ネジ筒(52)が回転してネジ軸(51)が打抜盤(20)と共に進退する。従って、本実施の形態では、上記打抜盤(20)とネジ軸(51)とネジ筒(52)の組み合わせが既述プッシャ(21)に対応する。
【００３４】
又、上記打抜盤(20)の移動域の下方隣接部にはワークトレー(46)が配設されており、該ワークトレー(46)上に打抜対象となる紙葉群がセットされるようになっている。
更に、中空刃(18)の外周近傍には、中空刃(18)の外側に生じる抜きカスを切断する為のスクラップカッタ(81)(81)が配設されており、該スクラップカッタ(81)(81)で切断された抜きカスが後述するスクラップシュート(62)のスクラップ受容口(61)に落下するようになっている。
【００３５】
[基台(23)について]
図２，図３に示すように、基台(23)の天板(60)には、中空刃(18)の支持部に対して下方から対向するスクラップ受容口(61)が開設されていると共に、該スクラップ受容口(61)はスクラップシュート(62)を介してスクラップ排出口(24)に繋がっている。
【００３６】
又、図３に示すように、上記スクラップシュート(62)の両側壁(71)(72)の頂部には、打抜室用ケース(1)の半円筒状の上半部(119)から垂下する両側板(111)(112)が連結されている。これにより、抜きカスが外部に飛散する原因となる既述従来の側方開口(16)が打抜室用ケース(1)の外周下部に形成されている従来品（図６参照）と相違し、抜きカスが全てスクラップ受容口(61)からスクラップシュート(62)を介してスクラップ排出口(24)に移動し、該スクラップ排出口(24)の外側に配設された回収箱(10)に回収される。
【００３７】
[動作の実際について]
次に、上記した実施の形態に係る打抜装置の動作の実際を説明する。
先ず、ワークトレー(46)に、積層した多数の紙葉群(99)を載置する。この状態で、図示しない運転スイッチを投入すると、駆動モータ(57)の回転が歯付きプーリ(56)，タイミングベルト(55)，歯付きプーリ(54)を介してネジ筒(52)に伝達される。すると、ネジ筒(52)の回転に伴ってネジ軸(51)が前方に送り出され、これにより、紙葉群(99)が打抜盤(20)によって中空刃(18)に押圧されて前記紙葉群(99)が中空刃(18)の輪郭形状に打ち抜かれる。そして、打ち抜かれた製品(98)(98)は、中空刃(18)の外側に配設された樋状の取出しテーブル(97)上を移動して所定場所に取り出される。
【００３８】
又、中空刃(18)の外周に生じる抜きカスがスクラップカッタ(81)(81)で分断され、これがスクラップ受容口(61)→スクラップシュート(62)→スクラップ排出口(24)の経路で移動して回収箱(10)に回収される。
【図面の簡単な説明】
【図１】本発明の実施形態に係る打抜装置の斜視図
【図２】図１の打抜装置を前後方向に縦断した断面図
【図３】図１の打抜装置をスクラップシュート(62)部分で切断した図
【図４】下方支持アーム(14)の配設部の拡大横断面図
【図５】下方支持アーム(14)の配設部の拡大縦断面図
【図６】従来例の説明図
【符号の説明】
(11)・・・環状枠
(13)・・・上方支持アーム
(14)・・・下方支持アーム
(15)・・・打抜室
(17)・・・調節ハンドル
(18)・・・中空刃
(24)・・・スクラップ排出口
(142)・・・摺動アーム
(145)・・・摺動軸部
(146)・・・屈曲延長部
【図１】
0004129364.tif 000002
【図２】
0004129364.tif 000003
【図３】
0004129364.tif 000004
【図４】
0004129364.tif 000005
【図５】
0004129364.tif 000006
【図６】
0004129364.tif 000007